(57)【特許請求の範囲】
【請求項１】
フィルタ−体に白水を供給し、前記白水中の繊維を分離する白水処理装置であって、
前記フィルタ−体は、  外側に位置し、通水性を有した円筒形状の第１の支持体と、
この第１の支持体の内側に位置し、化学繊維で織られ、通水                        性を有したフィルタ−と、
このフィルタ−の内側に位置し、前記フィルタ−を前記第１                        の支持体に押し付けると共に、通水性を有した円筒形状の第２                        の支持体とを有し、
前記第１の支持体は、棒状部材を間隔を置いて環状に複数配 列し、前記棒状部材の外側に位置して、間隔を置いて複数設け られた第１の環状部材とを有し、前記棒状部材と前記環状部材 とは固着されて一体化し、
前記フィルタ−は、矩形形状の端部同士を筒状に縫合してな り、化学繊維は、プラスチックワイヤであり、
前記第２の支持体は、前記棒状部材を横断する方向に位置し 、間隔を置いて配列された複数の第２の環状部材と、隣接する 前記第２の環状部材を接続する複数の接続部材とを有している
ことを特徴とする白水処理装置。
【発明の詳細な説明】
【０００１】
本発明は、白水処理装置に係り、特に、白水中の繊維を分離するフィルタ−体の改善を図った白水処理装置に関する。
【０００２】
【従来の技術】
抄紙機などから排出される、所謂、白水から白水中に含まれる繊維を分離するものとして、白水処理装置がある（例えば、特開２００１−２４８０８７  号公報参照）。
この白水処理装置のスクリ−ン（フィルタ−体）は、ステンレスの微細な金網で形成され、該金網は網支持体に溶接で固着されている。そして、該金網のメッシュが大きい場合、支障はない。
【発明が解決しようとする課題】
しかしながら、金網のメッシュが細かくなると、金網自体の強度が不足し、該金網を網支持体に溶接できないと共に、溶接できたとしても耐久力の点で問題があり、実用性に乏しいという問題点があった。
本発明は、上述した問題点を除去するようにした白水処理装置を提供するものである。
【０００３】
【課題を解決するための手段】
上記目的を達成するために、請求項１記載の白水処理装置は、フィルタ−体に白水を供給し、前記白水中の繊維を分離する白水処理装置であって、前記フィルタ−体は、  外側に位置し、通水性を有した円筒形状の第１の支持体と、この第１の支持体の内側に位置し、化学繊維で織られ、通水性を有したフィルタ−と、このフィルタ−の内側に位置し、前記フィルタ−を前記第１の支持体に押し付けると共に、通水性を有した円筒形状の第２の支持体とを有し、前記第１の支持体は、棒状部材を間隔を置いて環状に複数配列し、前記棒状部材の外側に位置して、間隔を置いて複数設けられた第１の環状部材とを有し、前記棒状部材と前記環状部材とは固着されて一体化し、前記フィルタ−は、矩形形状の端部同士を筒状に縫合してなり、化学繊維は、プラスチックワイヤであり、前記第２の支持体は、前記棒状部材を横断する方向に位置し、間隔を置いて配列された複数の第２の環状部材と、隣接する前記第２の環状部材を接続する複数の接続部材とを有しているものである。
【０００５】
【実施例】
本発明の一実施例の白水処理装置を図面を参照して説明する。
図１乃至図８において、１は白水処理装置で、白水処理装置１は、抄紙機などから排出される、所謂、白水から白水中に含まれる繊維を分離する装置で、概略的に、円筒形状のフィルタ−体２を内在した回転支持体３と、回転支持体３内に設けられた白水供給通路４、水供給通路５、水を排水する排水部材６、排出された繊維Ｆを受け入れる繊維受け入れ部７とから構成されている（図１及び図２参照）。
【０００６】
円筒形状のフィルタ−体２は回転自在に支持され、円筒形状のフィルタ−体２は、図３乃至図８に示すように、外側に位置し、通水性を有した円筒形状の第１の支持体２１と、この第１の支持体２１の内側に位置し、化学繊維で織られ、通水性を有したフィルタ−２２と、このフィルタ−２２の内側に位置し、フィルタ−２２を第１の支持体２１に押し付けると共に、通水性を有した円筒形状の第２の支持体２３とを有している。
【０００７】
更に、詳述すれば、第１の支持体２１は、棒状部材ａを間隔を置いて環状に複数配列し、棒状部材ａの外側に位置して、間隔（スリット）を置いて複数設けられた第１の環状部材ｂとを有し、棒状部材ａと環状部材ｂとは固着されて一体化している。また、フィルタ−２２は、矩形形状の端部同士を筒状に縫合して形成され、化学繊維は、ポリエチレン、ナイロン等のプラスチックワイヤで、フィルタ−２２の目の大きさは、例えば、１００  〜４００  メッシュである。また、第２の支持体２３は、棒状部材ａを横断する方向に位置し、間隔を置いて配列された複数の第２の環状部材ｃと、隣接する第２の環状部材ｃを接続する複数の接続部材ｄとを有している。
【０００８】
第１の支持体２１は棒状部材ａを間隔（スリット）を設けて並設して形成されるもので、フィルタ−２２を通過してくる水の入口が広くなるように、隣接する棒状部材ａの断面形状が先細りになるように傾斜している（図６、図７の棒状部材ａの傾斜面ａ１  、ａ２  参照）。なお、棒状部材ａは先端及び後端が互いに先細りとなる形状をし、棒状部材ａはリング状の第１の環状部材ｂに固着（固着は、例えば、ハンダ、スポット溶接である。）されて支持されている。そして、円筒形状のフィルタ−体２の一方の端面は開放され、繊維Ｆを排出する繊維排出部２ａとなっており、円筒形状のスクリ−ン２の内面に残存した白水中の繊維Ｆを円筒形状のフィルタ−体２の外へ導くようにしている。
【０００９】
回転支持体３は、円筒形状のフィルタ−体２を内在して支持すると共に、回転自在に支持されている。円筒形状のフィルタ−体２は取り付け部材、例えば、第１の環状部材ｂを回転支持体３にボルト（図示せず）で着脱自在に取り付けられている。
なお、本実施例では、回転支持体３の閉塞された端面の板３３に円筒形状のフィルタ−体２を当接している。
【００１０】
また、回転支持体３は略円筒形状をなした荒目の開口部３ｂを持つ骨組構造体で、内部に収納する円筒形状のフィルタ−体２を保持する役割を有し、回転支持体３の一方の端面は開放されて円筒形状のフィルタ−体２を出し入れする出し入れ部３ａ、回転支持体３の胴部には複数の開口部３ｂを有し、出し入れ部３ａの開放面と繊維排出部２ａの開放面とは、同じ側となっている。
【００１１】
また、図１において、８、８はベ−ス９に取り付けられた支持部材で、支持部材８、８は軸受け１０、１０を支持し、軸受け１０、１０はモ−タ１１の駆動により回転する回転支持体３の回転軸３１を支持するようになっている。回転支持体３は片持ちで支持しても良いが、望ましくは、モ−タ１１より遠い側をベルト３２で支えるようにしている。また、９１、９１はジャッキボルトで、円筒形状のフィルタ−体２の開放面が繊維受け入れ部７に向かうようにベ−ス９を傾斜させている。
【００１２】
白水供給通路４は、円筒形状のフィルタ−体２の内方に設けられ、抄紙機などから排出される白水を円筒形状のフィルタ−体２に供給するようにしている。白水供給通路４の先端は円筒形状のフィルタ−体２に臨む（白水供給通路４の先端は、より望ましくは、図８に示すように、フィルタ−２２の内周面に沿って噴射するようにする。）と共に、開口した開口部４ａを有し、この開口部４ａは開口面積を可変になるように構成されている。
開口部４ａの開口面積は、開口部４ａの一を構成する構成片４ａ１  を移動させることにより行うもので、移動手段は、例えば、エアシリンダ−４ａ２  である。
【００１３】
また、上述した水供給通路５は、円筒形状のフィルタ−体２を洗浄する水を供給する通路で、具体的には、複数の穴５１を開けたパイプで、排水部材６は円筒形状のフィルタ−体２の下方に位置して、円筒形状のフィルタ−体２を通過した水を排水するものである。
【００１４】
従って、モ−タ１１の回転により回転する円筒形状のフィルタ−体２へ白水供給通路４より白水が、水供給通路５より水がそれぞれ供給されると、白水（懸濁液）はフィルタ−２２の内周面に沿って落下し、白水中の水はフィルタ−２２を通過し、白水中の繊維Ｆはフィルタ−２２を通過できず、円筒形状のフィルタ−体２の内面に残存し、図８に示すように集束する。
【００１５】
特に、隣接する棒状部材ａの断面形状が先細りになるように傾斜し（図７の棒状部材ａの傾斜面ａ１  、ａ２  参照）、フィルタ−２２と第１の支持体２１との接触部分が少ない分濾過面積を拡大できるため、フィルタ−２２を通過してくる水の量が増加し、白水処理の能力の増大を図ることができる。
更に、回転支持体３は回転（例えば、周速１．５ｍ／ｓ）により発生する遠心力により脱水は加速されると共に、図７に示す棒状部材ａの傾斜面ａ３  、ａ４  の間のスペ−スＰに低圧ポケットが生じて吸引性が増し、脱水力が強化される。
また、円筒形状のフィルタ−体２に臨む開口部４ａが開口面積を可変になるように構成されているため、白水中に含まれる灰分の割合に応じて開口部４ａの開口面積を可変することができる。
つまり、白水中に含まれる灰分が多く、灰分を多く除去したい時には、エアシリンダ−４ａ２  のロッドを前進させて構成片４ａ１  を実線の位置にし、開口部４ａの開口面積を小さく（開口面積Ａ１  ）して開口部４ａよりの吐出圧を大として、より多くの灰分をフィルタ−２２を介して通過させる。また、逆に、白水中に含まれる灰分が少ない場合、エアシリンダ−４ａ２  のロッドを後退させて構成片４ａ１  を破線の位置にし、前述の開口部４ａの開口面積を大きく（開口面積Ａ２  、Ａ２  ＞Ａ１  ）して開口部４ａよりの吐出圧を小とし、灰分をフィルタ−２２を介して通過させる。
このように白水の吐出圧力を調整して適宜の灰分をフィルタ−体２を介して排水させ、白水処理の能力の増大を図るようにしている。
また、フィルタ−２２は腰が弱い分、処理する際の水流により変形するが、伸びた状態で変形、つまり、フィルタ−２２が第１の支持体２１側へ膨出するように変形するため、処理面積が増加して処理能力の向上をも図ることができる。
【００１６】
なお、円筒形状のフィルタ−体２の内面に残存した繊維Ｆは、円筒形状のフィルタ−体２の開放面が繊維受け入れ部７に向かうように傾斜しているため、円筒形状のフィルタ−体２の開放面から排出され、繊維受け入れ部７へと受け入れられることとなる。繊維受け入れ部７で受け入れられた繊維Ｆは、ポンプ７１により他の工程へと搬送される。
また、円筒形状のフィルタ−体２を交換する場合（目的に合った円筒形状のフィルタ−体２に交換する場合、円筒形状のフィルタ−体２を修理する場合）には、取り付け部材（図示せず）を外して、円筒形状のフィルタ−体２を回転支持体３からスライドさせることにより、回転支持体３を取り外すことなく取り付け部材（図示せず）を外すことにより出し入れ部３ａを介して円筒形状のフィルタ−体２を容易に取り外すことができ、円筒形状のフィルタ−体２を容易に交換することができる。
【００１７】
【発明の効果】
請求項１記載の白水処理装置によれば、化学繊維で織られ、通水性を有したフィルタ−を溶接することなく、第１の支持体に向けて第２の支持体で押えるようにして取り付けることができるため、フィルタ−のメッシュが小さくなっても、腰が弱い化学繊維のフィルタ−を円筒形状に張って、白水中に含まれる微細な繊維を回収することができ、また、第１の支持体と第２の支持体との間に腰が弱い化学繊維のフィルタ−を位置させることができるため、フィルタ−のメッシュが小さくなっても、強度的に強い化学繊維の特性を損なうことなくそのまま利用でき、耐久性に優れた白水処理装置を得ることができ、第１の支持体と第２の支持体との間に腰が弱いプラスチックワイヤのフィルタ−を位置させる際、該フィルタ−は、矩形形状の端部同士を筒状に縫合したものが取り付けられるため、取り付けが容易であると共に、フィルタ−は腰が弱い分、処理する際の水流により変形するが、伸びた状態で変形するため、処理面積が増加して処理能力の向上をも図ることができる。
【図面の簡単な説明】
【図１】図１は、本発明の一実施例の白水処理装置の概略的正面図である。
【図２】図２は、図１の白水処理装置の概略的側面図である。
【図３】図３は、図１の白水処理装置の円筒形状のフィルタ−体を内蔵した回転支持体の概略的一部断面図である。
【図４】図４は、図２の円筒形状のフィルタ−体を内蔵した回転支持体の概略的一部拡大側面図である。
【図５】図５は、図２の円筒形状のスクリ−ンを内蔵した回転支持体を分解して示すの概略的分解斜視図である。
【図６】図６は、図４のフィルタ−体を内側から見た円筒形状のフィルタ−体の概略的一部拡大斜視図である。
【図７】図７は、図６の円筒形状のスクリ−ンの概略的一部拡大断面図である。
【図８】図８は、白水供給通路の先端の開口部を可変する状態を説明するための、概略的断面図である。
【符号の説明】
１        白水処理装置
２        フィルタ−体
２１        第１の支持体
２２        フィルタ−
２３        第２の支持体
【図１】
0003574636.tif 000002
【図２】
0003574636.tif 000003
【図３】
0003574636.tif 000004
【図４】
0003574636.tif 000005
【図５】
0003574636.tif 000006
【図６】
0003574636.tif 000007
【図７】
0003574636.tif 000008
【図８】
0003574636.tif 000009